(57)【要約】【課題】  ユーザが必要とする放送信号を消去することなく、録画予約された放送信号を確実に録画する。【解決手段】  テレビジョン受像機は、放送信号が入力されるチューナと、録画時間と優先度とを含む録画予約情報を入力するための予約設定部１１と、録画予約情報を優先度と関連付けて記憶する不揮発性メモリ１３３と、記憶された録画予約情報に従って、放送信号を録画する記録装置１２１と、録画予約情報で定まる録画時間分の映像信号を記録装置１２１に記録するのに必要な記録容量を算出する記録容量算出部１４と、算出された記録容量と記録装置１２１に残された残容量とを比較する比較部１３と、比較部１３による比較結果に基づいて、録画予約情報に含まれる優先度よりも低い優先度が付加されて記録装置１２１に録画されている放送信号を消去する放送信号消去部１５と、を備える。【選択図】        図４
2007037000.tif 000002
【特許請求の範囲】
【請求項１】
放送信号が入力される放送信号入力手段と、
少なくとも録画時間と優先度とを含む録画予約情報を入力するための録画予約情報設定手段と、
前記録画予約情報を前記優先度と関連付けて記憶する録画予約情報記憶手段と、
前記記憶された録画予約情報に従って、前記優先度を付加して、前記入力された放送信号を録画する放送信号記録手段と、
前記録画予約情報で定まる録画時間分の放送信号を、前記放送信号記録手段に記録するのに必要な記録容量を算出する算出手段と、
前記算出された記録容量と前記放送信号記録手段に残された残容量とを比較する比較手段と、
前記比較手段による比較結果に基づいて、前記録画予約情報に含まれる優先度よりも低い優先度が付加されて録画されている放送信号を、前記放送信号記録手段から消去する設定時消去手段と、を備えた録画装置。
【請求項２】
前記比較手段による比較結果に基づいて、前記録画予約情報に含まれる優先度よりも低い優先度が付加されて録画されている放送信号を優先度の低い順に並べて、該放送信号を識別するための番組情報を表示する表示手段と、
前記表示された番組情報のうちから少なくとも１つの指定を受付ける指定受付け手段と、をさらに備え、
前記設定時消去手段は、前記指定された番組情報の放送信号を前記放送信号記録手段から消去する、請求項１に記載の録画装置。
【請求項３】
放送信号が入力される放送信号入力手段と、
少なくとも録画時間と優先度とを含む録画予約情報を入力するための録画予約情報設定手段と、
前記録画予約情報を前記優先度と関連付けて記憶する録画予約情報記憶手段と、
前記記憶された録画予約情報に従って、前記優先度を付加して、前記入力された放送信号を録画する放送信号記録手段と、
前記録画予約情報で定まる録画時間分の放送信号を、前記放送信号記録手段に記録するのに必要な記録容量を算出する算出手段と、
前記算出された記録容量と前記放送信号記録手段に残された残容量とを比較する比較手段と、
前記比較手段による比較結果に基づいて、前記録画予約情報に含まれる優先度よりも低い優先度が付加されて録画されている放送信号を優先度の低い順に並べて、該放送信号を識別するための番組情報を表示する表示手段と、
前記表示された番組情報のうちから少なくとも１つの指定を受付ける指定受付け手段と、
前記指定された番組情報の放送信号を前記放送信号記録手段から消去する設定時消去手段と、を備えた録画装置。
【請求項４】
前記算出手段は、前記録画予約情報記憶手段に録画予約情報が記憶されている場合、前記録画予約情報設定手段に入力された録画予約情報および前記録画予約情報記憶手段に記憶された録画予約情報のすべてで定まる録画時間分の放送信号を、前記放送信号記録手段に記録するのに必要な記録容量を算出する、請求項１または３に記載の録画装置。
【請求項５】
前記録画予約情報に従って前記放送信号記録手段に放送信号を録画している最中に、前記放送信号記録手段に残された残容量が所定の容量を下回った場合、前記録画している放送信号に対応する録画予約情報に含まれる優先度よりも低い優先度が付加されて前記放送信号記録手段に録画されている放送信号を、前記放送信号記録手段から消去する録画中消去手段をさらに備えた、請求項１または３に記載の録画装置。
【請求項６】
前記録画された放送信号に付加された優先度を変更する優先度変更手段をさらに備えた、請求項１または３に記載の録画装置。
【請求項７】
前記優先度は、第１レベル優先度と第２レベル優先度とを含み、
前記第１レベル優先度は、前記第２レベル優先度よりも優先度が高く、
前記第２レベル優先度は、録画時刻が新しいほど高い優先度を含み、
前記表示手段は、前記第１レベル優先度が低い順で、かつ、前記第２レベル優先度が低い順に並べて表示するソート表示手段を含む、請求項２または３に記載の録画装置。
【請求項８】
放送信号を入力するステップと、
少なくとも録画時間と優先度とを含む録画予約情報を入力するステップと、
前記録画予約情報を前記優先度と関連付けて記憶するステップと、
前記記憶された録画予約情報に従って、前記優先度を付加して、前記入力された放送信号を録画するステップと、
前記録画予約情報で定まる録画時間分の放送信号を、前記放送信号記録手段に記録するのに必要な記録容量を算出するステップと、
前記算出された記録容量と放送信号を録画するために残された残容量とを比較するステップと、
前記比較ステップによる比較結果に基づいて、前記録画予約情報に含まれる優先度よりも低い優先度が付加されて録画されている放送信号を消去するステップと、をコンピュータに実行させる録画予約設定プログラム。
【請求項９】
放送信号を入力するステップと、
少なくとも録画時間と優先度とを含む録画予約情報を入力するステップと、
前記録画予約情報を前記優先度と関連付けて記憶するステップと、
前記記憶された録画予約情報に従って、前記優先度を付加して、前記入力された放送信号を録画するステップと、
前記録画予約情報で定まる録画時間分の放送信号を、前記放送信号記録手段に記録するのに必要な記録容量を算出するステップと、
前記算出された記録容量と放送信号を録画するために残された残容量とを比較するステップと、
前記比較ステップによる比較結果に基づいて、前記録画予約情報に含まれる優先度よりも低い優先度が付加されて録画されている放送信号を優先度の低い順に並べて、該放送信号を識別するための番組情報を表示するステップと、
前記表示された番組情報のうちから少なくとも１つの指定を受付けるステップと、
前記指定された番組情報の放送信号を消去するステップと、をコンピュータに実行させる録画予約設定プログラム。
【発明の詳細な説明】
【技術分野】
【０００１】
この発明は録画装置および録画予約設定プログラムに関し、特に、録画予約された放送信号を録画する録画装置および録画予約設定プログラムに関する。
【背景技術】
【０００２】
近年、ハードディスクを搭載し、デジタル放送で受信された放送信号を録画する録画装置が流通している。ハードディスクは大容量のデータを記録することが可能であるが、その録画容量には限界がある。このため、特開２００４−３２８５９１号公報（特許文献１）には、映像信号を受信して得られた画像データを記録媒体に蓄積する一方、前記記録媒体から読み出した画像データに基づいて作成した映像信号を出力する映像録画再生装置において、少なくとも１つの番組に関する放送開始年月日時刻、放送時間長及び放送チャンネルを少なくとも含む番組情報を格納する番組情報格納部と、前記番組情報格納部に格納された前記少なくとも１つの番組のうちから録画予約すべき番組を設定するためのユーザによる予約設定入力を受け付け、その予約設定入力により設定された予約番組に対応する前記番組情報格納部に格納された前記番組情報を予約情報として設定する予約設定部と、前記予約設定部によって設定された前記予約情報を格納する予約情報格納部と、前記記録媒体の空き容量を算出し、前記予約情報格納部に格納された前記各予約情報によって特定される番組について録画を行った場合に前記記録媒体の空き容量が不足するか否かの判定を行う容量検査部と、前記記録媒体に記録されている各番組の画像データの保存優先順位を所定基準に基づいて決定する番組優先度決定部と、前記容量検査部の検査結果が空き容量不足を示すものである場合に、前記記録媒体に保存されている画像データを、空き容量不足の解消に必要な数だけ、その保存優先順位の低いものから順に消去する自動消去部と、を備えた映像録画再生装置が記載されている。
【０００３】
しかしながら、特開２００４−３２８５９１号公報に記載の映像録画再生装置は、番組を録画する予約が設定された後に、空き容量不足の解消に必要な数だけ、保存優先順位の低いものから順に記録媒体に保存されている画像データを消去するので、番組を録画する予約をすれば、画像データが必ず消去されてしまう。このため、ユーザが録画予約した番組を保存するよりも、既に保存されている画像データを保存しておきたいと望む場合であっても、ユーザの知らないうちにユーザの保存しておきたいと望む画像データが消去されてしまうといった問題がある。
【特許文献１】特開２００４−３２８５９１号公報
【発明の開示】
【発明が解決しようとする課題】
【０００４】
この発明は上述した問題点を解決するためになされたもので、この発明の目的の一つは、ユーザが必要とする放送信号を消去することなく、録画予約された放送信号を確実に録画することが可能な録画装置および録画予約設定プログラムを提供することである。
【０００５】
この発明の他の目的は、ユーザが必要とする放送信号を消去することなく録画予約することができ、録画予約の操作を容易にした録画装置および録画予約設定プログラムを提供することである。
【課題を解決するための手段】
【０００６】
上述した目的を達成するためにこの発明のある局面によれば、録画装置は、放送信号が入力される放送信号入力手段と、少なくとも録画時間と優先度とを含む録画予約情報を入力するための録画予約情報設定手段と、録画予約情報を優先度と関連付けて記憶する録画予約情報記憶手段と、記憶された録画予約情報に従って、優先度を付加して入力された放送信号を録画する放送信号記録手段と、録画予約情報で定まる録画時間分の映像信号を、放送信号記録手段に記録するのに必要な記録容量を算出する算出手段と、算出された記録容量と放送信号記録手段に残された残容量とを比較する比較手段と、比較手段による比較結果に基づいて、録画予約情報に含まれる優先度よりも低い優先度が付加されて録画されている放送信号を、放送信号記録手段から消去する設定時消去手段と、を備える。
【０００７】
この発明に従えば、録画予約情報が入力され、録画予約情報が優先度を付加して記憶される。録画予約情報で定まる録画時間分の映像信号を記録するのに必要な記録容量と残された残容量とが比較され、比較結果に基づいて、録画予約情報に含まれる優先度よりも低い優先度が付加されて録画されている放送信号が消去される。このため、録画予約情報に含まれる優先度よりも低い優先度が付加されて録画されている放送信号が消去されるので、録画予約情報に含まれる優先度よりも低い優先度が付加された放送信号が録画されていない場合には、消去されない。このため、ユーザの知らないうちに、ユーザが録画しておきたい放送信号が消去されることがない。その結果、ユーザが必要とする放送信号を消去することなく、録画予約された放送信号を確実に録画することが可能な録画装置を提供することができる。
【０００８】
好ましくは、比較手段による比較結果に基づいて、録画予約情報に含まれる優先度よりも低い優先度が付加されて録画されている放送信号を優先度の低い順に並べて、該放送信号を識別するための番組情報を表示する表示手段と、表示された番組情報のうちから少なくとも１つの指定を受付ける指定受付け手段と、をさらに備え、設定時消去手段は、指定された番組情報の放送信号を放送信号記録手段から消去する。
【０００９】
この発明に従えば、録画予約情報に含まれる優先度よりも低い優先度が付加されて録画されている放送信号を優先度の低い順に並べて、放送信号を識別するための番組情報が表示され、指定された番組情報の放送信号が消去される。このため、ユーザが、消去する放送信号を決定することができるので、優先度が低くてもユーザが必要とする放送信号が消去されることがない。
【００１０】
この発明の他の局面によれば、放送信号が入力される放送信号入力手段と、少なくとも録画時間と優先度とを含む録画予約情報を入力するための録画予約情報設定手段と、録画予約情報を優先度と関連付けて記憶する録画予約情報記憶手段と、記憶された録画予約情報に従って、優先度を付加して、入力された放送信号を録画する放送信号記録手段と、録画予約情報で定まる録画時間分の放送信号を、放送信号記録手段に記録するのに必要な記録容量を算出する算出手段と、算出された記録容量と放送信号記録手段に残された残容量とを比較する比較手段と、比較手段による比較結果に基づいて、録画予約情報に含まれる優先度よりも低い優先度が付加されて録画されている放送信号を優先度の低い順に並べて、該放送信号を識別するための番組情報を表示する表示手段と、表示された番組情報のうちから少なくとも１つの指定を受付ける指定受付け手段と、指定された番組情報の放送信号を放送信号記録手段から消去する設定時消去手段と、を備える。
【００１１】
この発明に従えば、録画予約情報が入力され、録画予約情報が優先度と関連付けて記憶される。録画予約情報で定まる録画時間分の放送信号を記録するのに必要な記録容量と残された残容量とが比較され、比較結果に基づいて、録画予約情報に含まれる優先度よりも低い優先度が付加されて録画されている放送信号を優先度の低い順に並べて、放送信号を識別するための番組情報が表示される。そして、指定された番組情報の放送信号が消去される。このため、残容量を増やすために録画されている放送信号を消去するために新たな画面を表示させるなどの操作を入力する必要がない。また、ユーザが、消去する放送信号を決定することができるので、優先度が低くてもユーザが必要とする放送信号が消去されることがない。その結果、ユーザが必要とする放送信号を消去することなく録画予約することができ、録画予約の操作を容易にした録画装置を提供することができる。
【００１２】
好ましくは、算出手段は、録画予約情報記憶手段に録画予約情報が記憶されている場合、録画予約情報設定手段に入力された録画予約情報および録画予約情報記憶手段に記憶された録画予約情報のすべてで定まる録画時間分の放送信号を、放送信号記録手段に記録するのに必要な記録容量を算出する。
【００１３】
この発明に従えば、録画予約情報が既に記録されている場合であっても、それらの録画予約情報に基づき録画される予定の放送信号が、残容量が不足して録画されなくなるのを回避することができる。たとえば、入力した録画予約情報の放送信号よりも後に入力される放送信号が録画予約されていたとしても、その放送信号を録画するための容量が確保される。
【００１４】
好ましくは、録画予約情報に従って放送信号記録手段に放送信号を録画している最中に、放送信号記録手段に残された残容量が所定の容量を下回った場合、録画している放送信号に対応する録画予約情報に含まれる優先度よりも低い優先度が付加されて放送信号記録手段に録画されている放送信号を、放送信号記録手段から消去する録画中消去手段をさらに備える。
【００１５】
この発明に従えば、録画予約情報に従って放送信号が録画されている最中に、残容量が所定の容量を下回った場合、録画している放送信号に対応する録画予約情報に含まれる優先度よりも低い優先度が付加されて録画されている放送信号が消去される。このため、録画予約された放送信号をより確実に録画することが可能となる。
【００１６】
好ましくは、録画された放送信号に付加された優先度を変更する優先度変更手段をさらに備える。
【００１７】
この発明に従えば、録画された放送信号に付加された優先度が変更される。ユーザが記録しておきたいと望む放送信号は、時間の経過とともに変化する。たとえば、再生して視聴した放送信号は、視聴する前後で録画しておく価値が異なる。このため、優先度を変更することにより、録画しておく価値の変化に対応することができる。
【００１８】
好ましくは、優先度は、第１レベル優先度と第２レベル優先度とを含み、第１レベル優先度は、第２レベル優先度よりも優先度が高く、第２レベル優先度は、録画時刻が新しいほど高い優先度を含み、表示手段は、第１レベル優先度が低い順で、かつ、第２レベル優先度が低い順に並べて表示するソート表示手段を含む。
【００１９】
この発明に従えば、第２レベル優先度よりも優先度が高い第１レベル優先度が低い順で、かつ、録画時刻が新しいほど優先度の高い第２レベル優先度が低い順に並べて番組識別情報が表示される。このため、優先度をレベル分けして番組識別情報が表示されるので、消去する放送信号を容易に指定することができる。
【００２０】
この発明のさらに他の局面によれば、録画予約設定プログラムは、放送信号を入力するステップと、少なくとも録画時間と優先度とを含む録画予約情報を入力するステップと、録画予約情報を優先度と関連付けて記憶するステップと、記憶された録画予約情報に従って、優先度を付加して、入力された放送信号を録画するステップと、録画予約情報で定まる録画時間分の放送信号を、放送信号記録手段に記録するのに必要な記録容量を算出するステップと、算出された記録容量と放送信号を録画するために残された残容量とを比較するステップと、比較ステップによる比較結果に基づいて、録画予約情報に含まれる優先度よりも低い優先度が付加されて録画されている放送信号を消去するステップと、をコンピュータに実行させる。
【００２１】
この発明に従えば、ユーザが必要とする放送信号を消去することなく、録画予約された放送信号を確実に録画することが可能な録画予約設定プログラムを提供することができる。
【００２２】
この発明のさらに他の局面によれば、録画予約設定プログラムは、放送信号を入力するステップと、少なくとも録画時間と優先度とを含む録画予約情報を入力するステップと、録画予約情報を優先度と関連付けて記憶するステップと、記憶された録画予約情報に従って、優先度を付加して、入力された放送信号を録画するステップと、録画予約情報で定まる録画時間分の放送信号を、放送信号記録手段に記録するのに必要な記録容量を算出するステップと、算出された記録容量と放送信号を録画するために残された残容量とを比較するステップと、比較ステップによる比較結果に基づいて、録画予約情報に含まれる優先度よりも低い優先度が付加されて録画されている放送信号を優先度の低い順に並べて、該放送信号を識別するための番組情報を表示するステップと、表示された番組情報のうちから少なくとも１つの指定を受付けるステップと、指定された番組情報の放送信号を消去するステップと、をコンピュータに実行させる。
【００２３】
この発明に従えば、ユーザが必要とする放送信号を消去することなく録画予約することができ、録画予約の操作を容易にした録画予約設定プログラムを提供することができる。
【発明を実施するための最良の形態】
【００２４】
以下、本発明の実施の形態について図面を参照して説明する。以下の説明では同一の部品には同一の符号を付してある。それらの名称および機能も同じである。したがってそれらについての詳細な説明は繰返さない。
【００２５】
図１は、本発明の実施の形態の一つにおけるテレビジョン受像機の構成の概略を示す図である。図１を参照して、テレビジョン受像機１００は、放送電波を受信するアンテナ１０２に接続されており、アンテナ１０２から出力される放送信号がチューナ１０３に入力される。放送信号は、映像データおよび音声データを含む高周波デジタル変調信号である。チューナ１０３は、アンテナ１０２から入力される高周波デジタル変調信号から特定の周波数の信号を取り出す。また、チューナ１０３は、逆インターリーブ回路、誤り訂正回路を備えており、取り出した特定の周波数の高周波デジタル変調信号を復調してトランスポート・ストリーム（以下「ＴＳ」という）をデマルチプレクサ（ＤＥＭＡＸ）１０５に出力する。チューナ１０３で選択する特定の周波数は、後述するシステムコントローラ１０１により指定される。
【００２６】
ＤＥＭＡＸ１０５は、チューナ１０３から受け取ったＴＳを、ＭＰＥＧ２（Ｍｏｖｉｎｇ  Ｐｉｃｔｕｒｅ  Ｅｘｐｅｒｔｓ  Ｇｒｏｕｐ２）のビデオトランスポートパケット、オーディオトランスポートパケット、ＰＳＩ（Ｐｒｏｇｒａｍ  Ｓｐｅｃｉｆｉｃ  Ｉｎｆｏｒｍａｔｉｏｎ）、およびダウンロードプログラムパケットに分離する。ＤＥＭＡＸ１０５は、ビデオトランスポートパケットとオーディオトランスポートパケットをＡＶデコーダ１０７および切換部１１９に供給し、ＰＳＩに含まれるサービス情報やダウンロードプログラムをシステムコントローラ１０１に供給する。なお、ＴＳには複数のチャネルが多重化されており、この中から任意のチャネルを選択するための処理は、ＰＳＩから任意のチャネルがＴＳ中でどのパケットＩＤで多重化されているかといったデータを取り出すことで可能となる。また、ダウンロードプログラム自体およびその抽出のためのＩＤも、ＰＳＩから取り出すことができる。さらに、ＴＳの選定(トランスポンダの選定）もＰＳＩの情報に基づいて行うことができる。
【００２７】
ＡＶデコーダ１０７は、ビデオトランスポートパケットに対してデコードを行うビデオデコーダ、およびオーディオトランスポートパケットに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行い、映像信号を生成する。オーディオデコーダは、入力された符号化信号を復号して音声信号を生成する。ＡＶデコーダ１０７により生成された映像信号は映像処理回路１０９に出力され、音声信号は音声処理回路１１１に出力される。
【００２８】
映像処理回路１０９はＡＶデコーダ１０７から映像信号を受け取り、Ｄ／Ａ（デジタル／アナログ）変換を行い、映像出力回路１１３およびＡＶエンコーダ１１７に出力する。映像出力回路１１３は、映像信号を、増幅した後外部に出力する。映像出力回路１１３には、表示装置が接続され、映像出力回路１１３から出力される映像信号に従って表示装置に映像が表示される。表示装置は、たとえば、プラズマディスプレイパネル、液晶表示装置または陰極線管（ＣＲＴ）などである。音声処理回路１１１はＡＶデコーダ１０７から音声信号を受け取り、Ｄ／Ａ変換を行い、右（Ｒ）音のアナログ信号および左（Ｌ）音のアナログ信号を生成し、音声出力回路１１５およびＡＶエンコーダ１１７に出力する。音声出力回路１１５は、音声信号を増幅した後外部に出力する。音声出力回路１１５には、スピーカが接続され、音声出力回路１１５から出力される音声信号に従ってスピーカから音が出力される。
【００２９】
ＡＶエンコーダ１１７には、映像処理回路１０９からアナログの映像信号が入力され、音声処理回路１１１からアナログの音声信号が入力される。ＡＶエンコーダ１１７は、Ａ／Ｄ（アナログ／デジタル）コンバータと、ビデオエンコーダと、オーディオエンコーダとを含む。ビデオエンコーダには、アナログの映像信号が入力される。ビデオエンコーダは、入力されるアナログの映像信号をデジタルに変換し、ＭＰＥＧビデオ規格に従って符号化し、符号化した映像信号をマルチプレクサ１１８に出力する。
【００３０】
Ａ／Ｄコンバータは、アナログの音声信号が入力される。Ａ／Ｄコンバータは、入力されるアナログの音声信号をデジタルに変換して、オーディオエンコーダに出力する。オーディオエンコーダは、入力されるデジタルの音声信号をＭＰＥＧ／ＡＣ３またはリニアＰＣＭ（Ｐｕｌｓｅ  Ｃｏｄｅ  Ｍｏｄｕｌａｔｉｏｎ）のいずれかのオーディオ規格に従って符号化し、符号化した音声信号をマルチプレクサ１１８に出力する。マルチプレクサ１１８は、符号化された映像信号と符号化された音声信号とをパケット化して時分割多重化する。時分割多重化されたデータは、ＭＰＥＧ−ＰＳ（Ｐｒｏｇｒａｍ  Ｓｔｒｅａｍ）という。ＭＰＥＧ-ＰＳは、切換部１１９に出力される。
【００３１】
切換部１１９には、ＤＥＭＡＸ１０５からＴＳが入力され、マルチプレクサ１１８からＭＰＥＧ−ＰＳが入力される。切換部１１９には、システムコントローラ１０１から制御信号が入力され、ＴＳまたはＭＰＥＧ−ＰＳのいずれかが記録装置１２１に出力されて記録される。ＴＳは、可変ビットレートであり、ＭＰＥＧ−ＰＳは固定ビットレートとしている。ＴＳを記録する記録方式をここではＴＳ記録といい、ＭＰＥＧ−ＰＳを記録する記録方式をここでは再エンコード記録という。再エンコード記録の記録方式は、固定ビットレートで符号化されたデータを記録するので、記録する番組の時間がわかれば、記録装置１２１に記録するのに必要とされる録画容量を算出することができる。一方、ＴＳ記録の記録方式は、可変ビットレートで符号化されたデータを記録するので、記録する番組の時間からは記録装置１２１に記録するのに必要とされる録画容量を正確に算出することはできないが、ある程度の誤差はあるが、録画容量を予測することは可能である。
【００３２】
記録装置１２１は、ハードディスクユニットであり、システムコントローラ１０１により制御される。システムコントローラ１０１は、記録装置１２１の空き容量（残容量）を取得することが可能である。また、記録装置１２１は、システムコントローラ１０１からの指令により、切換部１１９から出力されるＴＳまたはＭＰＥＧ−ＰＳを記録する。記録装置１２１は、ハードディスクに限られず、フレキシブルディスク、光ディスク（ＭＯ（Ｍａｇｎｅｔｉｃ  Ｏｐｔｉｃａｌ  Ｄｉｓｃ／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）などの半導体メモリ等であってもよい。
【００３３】
不揮発性メモリ１３３は、システムコントローラ１０１に接続されたＥＥＰＲＯＭである。不揮発性メモリ１３３は、録画予約情報および録画情報を記録する。録画予約情報は、録画を予約する番組を識別するための番組識別情報と、録画時間とを少なくとも含む。録画時間は、開始時刻および終了時刻であってもよい。録画情報は、記録装置１２１に記録された番組に関する情報である。
【００３４】
ＯＳＤ（オンスクリーンディスプレイ)表示回路１２３は、システムコントローラ１０１から出力指示された文字情報に基づくビットマップデータを加算器１１０に出力する。ＯＳＤ表示回路１２３により、システムコントローラ１０１が受け取ったＰＳＩに含まれるサービス情報に基づくＥＰＧ（Ｅｌｅｃｔｒｏｎｉｃ  Ｐｒｏｇｒａｍ  Ｇｕｉｄｅ）画面、操作ガイド画面またはダウンロードソフトウェアの選択画面が映像出力回路１１３に出力される。また、ＯＳＤ表示回路１２３により、後述する録画予約設定画面、録画ファイル一覧画面が映像出力回路１１３に出力され、表示装置に表示される。
【００３５】
リモコン送信機１３１は、テレビジョン受像機１００に指令を送出するための送信機である。このリモコン送信機１３１に設けられたキーがユーザにより操作されると、そのキーに対応した指令を意味する信号光(リモコン信号)が発光部から送出される。リモコン受光器１２９は、リモコン送信機１３１が送出するリモコン信号を受光する。そして受光したリモコン信号をシステムコントローラ１０１に出力する。ユーザは、リモコン送信機１３１を操作することにより、システムコントローラ１０１に指令を入力することが可能となる。
【００３６】
操作部１３５は、テレビジョン受像機１００の前面に設けられたキーボードである。操作部１３５に設けられたキーがユーザにより操作されると、そのキーに対応した指令を意味する信号がシステムコントローラ１０１に入力される。このため、ユーザは、操作部１３５を操作することにより、システムコントローラ１０１に指令を入力することが可能となる。
【００３７】
テレビジョン受像機１００は、テレビジョン受像機１００に電源を供給するための電源回路１２７をさらに備える。電源回路１２７は、電源コンセントに接続可能であり、電源コンセントから供給される電力をテレビジョン受像機１００に供給する。
【００３８】
図２は、録画予約設定画面の一例を示す図である。図２を参照して、録画予約設定画面は、録画予約する番組の指定と、記録する画質の指定と、録画方式の指定と、優先度の指定とが可能である。録画予約する番組の指定は、番組の年月日と、開始時刻と終了時刻と、番組名とで指定される。記録する画質は、画質の程度を指定するものであり、図では最高画質が指定されている。録画方式の指定は、上述した再エンコード記録と、ＴＳ記録のいずれかである。図では、再エンコード記録が指定されている例を示している。優先度は、ユーザが録画予約した放送信号が記録装置１２１に録画された後に、消去したくない度合いを示すものである。
【００３９】
図３は、優先度の一例を示す図である。図３を参照して、優先度は、第１レベル優先度と第２レベル優先度とを含む。第１レベル優先度は、「高」、「中」および「低」の３段階に分類される。優先度「高」が消去を望まない度合いが最も高く、「低」が最も低い。優先度「高」は優先度「中」よりも優先度が高く、優先度「中」は優先度「低」よりも優先度が高い。ここでは、優先度「高」は、消去が禁止される。第２レベル優先度は、日時および再生の有無で優先度が決定される。録画された日時が古いほど優先度が低く、再生された放送信号は再生前の放送信号よりも優先度が低い。
【００４０】
図４は、システムコントローラの機能の概略を示す機能ブロック図である。図４を参照して、システムコントローラ１０１は、予約設定部１１と、比較部１３と、放送信号消去部１５と、録画予約情報記憶部１７と、番組指示入力部１９と、録画制御部２１と、優先度変更部２３とを含む。
【００４１】
予約設定部１１は、ＯＳＤ表示回路１２３と接続されており、ＯＳＤ表示回路１２３に録画予約設定画面を出力させる。これにより、表示装置に録画予約設定画面が表示される。表示装置に録画予約設定画面が表示されると、ユーザは、操作部１３５またはリモコン送信機１３１を操作して録画予約情報を入力することにより録画予約の設定が可能となる。予約設定部１１は、また、リモコン受光器１２９および操作部１３５と接続されており、ユーザが入力した録画予約情報が入力される。なお、ユーザが予約設定画面で指定する番組を特定するためにＥＰＧ画面を、ＯＳＤ表示回路１２３に出力させるようにしてもよい。予約設定部１１に入力される録画予約情報は、比較部１３に出力される。
【００４２】
図５は、録画予約情報のデータフォーマットの一例を示す図である。図５を参照して、録画予約情報は、録画を予約する番組を識別するための番組識別情報（番組名）と、放送番組の日時と、放送番組の放送時間（録画時間）と、記録方式と、画質と、優先度とを含む。録画予約情報は、番組識別情報と、優先度とを少なくとも含み、録画時間、記録方式および画質を含んでもよい。
【００４３】
図４に戻って、比較部１３は、録画予約情報に基づいて番組の放送信号を録画するのに必要とされる記録容量を算出するための記録容量算出部１４を含む。比較部１３で記録容量の算出の基になる録画予約情報は、比較部１３に予約設定部１１から入力された録画予約情報と、不揮発性メモリ１３３に録画予約情報１３３Ａが記憶されている場合にはその録画予約情報１３３Ａのすべてを含む。記録容量算出部１４は、録画予約情報の放送時間を取得し、その時間分の映像および音声を記録するために必要な記録容量を算出する。録画予約情報が複数ある場合には、複数の録画予約情報それぞれについて記憶容量が算出されて合算される。録画予約情報に含まれる記録方式が再エンコード記録の場合には、ビットレートから正確な記録容量が算出される。記録方式がＴＳ記録の場合には、記録時間から記録容量を予測する。たとえば、予め時間当たりの記録容量を定めておき、記録容量を算出すればよい。比較部１３は、記録装置１２１の残容量を検出し、検出した残容量と記録容量算出部１４で算出された記録容量とを比較する。そして、比較結果を放送信号消去部１５に出力する。
【００４４】
放送信号消去部１５は、比較部１３から入力される比較結果が、残容量が記録容量以上であることを示す場合、録画予約情報記憶部１７に録画予約情報を出力する。録画予約情報記憶部１７は、予約設定部１１に入力された録画予約情報を不揮発性メモリ１３３に記憶する。これにより、不揮発性メモリ１３３に録画予約情報１３３Ａが記憶される。
【００４５】
録画制御部２１は、不揮発性メモリ１３３に記憶されている録画予約情報１３３Ａを読み出し、現在時刻が録画予約情報１３３Ａに含まれる日時（録画時刻）となったか否かを監視している。そして、現在時刻が録画時刻となると、その録画予約情報１３３Ａに含まれる番組の放送信号をＴＳまたはＭＰＥＧ−ＳＴで記録装置１２１に記録する。これにより、記録装置１２１に放送信号１２１Ａが録画される。録画制御部２１は、放送信号１２１Ａの録画が終了すると、記録装置１２１に、録画予約情報１３３Ａに含まれていた優先度を放送信号１２１Ａに関連付けて記憶させる。さらに、録画制御部２１は、放送信号１２１Ａの録画が終了すると、その放送信号１２１Ａに対応する録画情報を生成し、不揮発性メモリ１３３に記憶する。これにより、不揮発性メモリ１３３に録画情報１３３Ｂが記憶される。
【００４６】
図６は、録画情報のデータフォーマットの一例を示す図である。図６を参照して、録画情報は、番組識別情報と、放送番組の日時と、録画時間と、記録方式と、画質と、優先度と、放送信号１２１Ａが記録されている記録装置１２１のアドレスとを含む。図５に示した録画予約情報に比較して、録画情報は、録画予約情報にアドレスを付加した情報である。なお、録画情報は、番組識別情報と、優先度と、アドレスとを少なくとも含み、録画時間、記録方式および画質を含んでもよい。
【００４７】
録画予約設定時において、放送信号消去部１５は、比較部１３から入力される比較結果が、残容量が記録容量よりも少ないことを示す場合、記録装置１２１に記録されている放送信号１２１Ａのうち、予約設定部１１に入力された録画予約情報の優先度よりも低い優先度の付されたものを、消去する。そして、優先度の低い放送信号を記録装置１２１から消去した後に、再度、比較部１３に比較させて、比較結果を受け取る。放送信号消去部１５は、比較部１３から残容量が記録容量以上であることを示す比較結果が入力されるまで、予約設定部１１に入力された録画予約情報の優先度よりも低い優先度の付されたものを、順に消去する。
【００４８】
また、放送信号消去部１５は、録画情報表示部１６を含む。録画情報表示部１６は、ＯＳＤ表示回路１２３と接続されており、不揮発性メモリ１３３に記憶されている録画情報１３３Ｂを読出して録画ファイル一覧画面を生成し、ＯＳＤ表示回路１２３に出力させる。これにより、表示装置に録画ファイル一覧画面が表示される。録画ファイル一覧画面は、録画情報のうち番組識別情報としての番組名と、録画年月日および時刻と、録画時間と、画質とを、記録された番組ごとに表示する画面である。放送信号消去部１５は、録画情報のうち予約設定部１１に入力された録画予約情報の優先度よりも低い優先度の付されたものを、優先度の低い順に並び替えて、録画情報の一部を表示する。優先度が同じ録画情報を他の優先度の録画情報と区別して表示するようにしてもよい。色で区別してもよいし、優先度の異なる録画情報に異なる印を付すようにしてもよい。
【００４９】
表示装置に録画ファイル一覧画面が表示されると、ユーザは、操作部１３５またはリモコン送信機１３１を操作して録画ファイル一覧画面に表示された番組識別情報のいずれかを指定することにより、その番組の放送信号を消去する指示を入力することが可能となる。番組指示入力部１９は、また、リモコン受光器１２９および操作部１３５と接続されており、ユーザが入力した番組識別情報の指定の入力を受付ける。そして、その番組識別情報を放送信号消去部１５に出力する。放送信号消去部１５は、番組指示入力部１９から入力される番組識別情報を含む録画情報のアドレスから放送信号１２１Ａを特定し、記録装置１２１からその放送信号１２１Ａを消去する。録画ファイル一覧画面でユーザが指定した番組の放送信号１２１Ａが記録装置１２１から消去されるので、ユーザが録画しておくことを望む放送信号１２１Ａが消去されることがない。
【００５０】
録画制御部２１は、また、現在時刻が録画時刻となると、その録画予約情報１３３Ａを比較部１３に出力する。比較部１３は、録画制御部２１から録画予約情報１３３Ａが入力されると、記録装置１２１の残容量を所定時間ごとに監視する。そして、残容量が所定値を下回ったことを検出すると、放送信号消去部１５に消去指示を出力する。放送信号消去部１５は、比較部１３から消去指示が入力されると、記録装置１２１に記録されている放送信号１２１Ａのうち、録画制御部２１で録画している放送信号１２１Ａに対応する録画予約情報の優先度よりも低い優先度の付されたものを、消去する。これにより、録画制御部２１が記録装置１２１に録画している放送信号を録画するための領域が確保される。
【００５１】
優先度変更部２３は、不揮発性メモリ１３３に記憶されている録画予約情報１３３Ａおよび録画情報１３３Ｂの優先度を変更する。優先度変更部２３は、リモコン受光器１２９および操作部１３５と接続されており、ユーザが指定した録画予約情報１３３Ａまたは録画情報１３３Ｂの優先度を、ユーザが指定した優先度に変更する。ここで変更される優先度は、第１レベル優先度である。また、優先度変更部２３は、録画情報１３３Ｂのうち、再生された放送信号の第２レベル優先度を低い優先度に変更する。
【００５２】
＜予約設定処理＞
図７は、本実施の形態におけるテレビジョン受像機で実行される録画予約設定処理の流れの一例を示すフローチャートである。図７を参照して、録画予約設定処理では、録画予約が設定されるまで待機状態となっており（ステップＳ０１でＮＯ）、録画予約が設定されたならばステップＳ０２に進む。すなわち、録画予約設定処理は、録画予約が設定されることを条件に実行される処理である。録画予約の設定は、ユーザの指示により、表示装置に録画予約設定画面が表示され、ユーザにより操作部１３５またはリモコン送信機１３１から録画予約情報が入力されたことを検出する。
【００５３】
ステップＳ０２では、不揮発性メモリ１３３に記憶されている録画予約情報１３３Ａを読み出す。それまでに録画予約設定された録画予約情報１３３Ａを取得するためである。そして、録画容量を算出する（ステップＳ０３）。録画容量の算出は、ステップＳ０１で入力された録画予約情報と、ステップＳ０２で不揮発性メモリ１３３から読み出された録画予約情報１３３Ａとのそれぞれについて算出される。算出された複数の録画容量の合計が全体の録画容量とされる。具体的には、録画予約情報の放送時間を取得し、録画予約情報で特定される放送信号を放送時間分記録するために必要な記録容量を算出する。録画予約情報が複数ある場合には、複数の録画予約情報それぞれについて記憶容量を算出して、合算する。
【００５４】
次のステップＳ０４では、記録装置１２１に残されている残容量が検出される。そして、ステップＳ０３で算出された録画容量とステップＳ０４で検出された残容量とを比較し、録画容量が残容量よりも少ないか否かが判断される（ステップＳ０５）。真であればステップＳ１１に進み、偽であればステップＳ０６に進む。ステップＳ０６では、不揮発性メモリ１３３から優先度が最低の録画情報１３３Ｂを抽出する。そして、抽出した録画情報１３３Ｂが削除可能か否かを判断する（ステップＳ０７）。ステップＳ０６で抽出された録画情報の第１レベル優先度が「高」の場合には削除できないからである。また、抽出した録画情報の番組識別情報を表示装置に表示させて、ユーザに削除することを報知し、許可を求めるようにしてもよい。抽出した録画情報１３３Ｂを削除可能であればステップＳ０８に進むが、削除不可能であればステップＳ１２に進む。ステップＳ１２では、エラー処理が実行される。エラー処理は、たとえば、記録装置１２１の残容量不足によりステップＳ０１で入力された録画予約情報に基づく録画予約の設定ができないことを示すエラーメッセージを表示装置に表示する処理である。
【００５５】
ステップＳ０８では、ステップＳ０６で抽出された録画情報のアドレスで特定される放送信号１２１Ａを記録装置１２１から消去する。その後、記録装置１２１に残されている残容量が検出される（ステップＳ０９）。そして、ステップＳ０３で算出された録画容量とステップＳ０９で検出された残容量とを比較し、録画容量が残容量よりも少ないか否かが判断される（ステップＳ１０）。真であればステップＳ１１に進み、偽であればステップＳ０６に戻る。ステップＳ１１に進む場合には、ステップＳ０１で入力された録画予約情報で特定される放送信号と、不揮発性メモリ１３３に記録されている録画予約情報１３３Ａで特定される放送信号とを録画するために十分とされる量の領域が記録装置１２１に確保されることになる。
【００５６】
ステップＳ１１では、ステップＳ０１で入力された録画予約情報を不揮発性メモリ１３３に記憶する。これにより、ステップＳ０１で入力された録画予約情報に基づく録画予約の設定が完了する。
【００５７】
＜予約設定処理の変形例＞
上述した予約設定処理では、テレビジョン受像機１００が自動的に削除する放送信号１２１Ａを決定するものであった。変形例における予約設定処理では、ユーザが指定した放送信号１２１Ａを削除するようにしたものである。ユーザが削除する放送信号１２１Ａを指定するために録画ファイル一覧画面を表示装置に表示するが、記録装置１２１に多数の放送信号１２１Ａが録画されている場合には、それらのうちから１つを選択するのが煩雑となる。このため、録画ファイル一覧画面では、放送信号１２１Ａを特定するための番組識別情報を優先度の低い順に並べて表示するようにしている。
【００５８】
図８は、変形された予約設定処理の流れの一例を示すフローチャートである。図８を参照して、図７の予約設定処理と異なるところは、ステップＳ０６に代えて、ステップＳ１５〜ステップＳ１８が実行される点、およびステップＳ０８に代えてステップＳ０８Ａが実行される点である。他の処理は、図７で説明したのと同じなのでここでは説明を繰り返さない。ステップＳ１５では、不揮発性メモリ１３３から録画情報１３３Ｂを読み出す。そして、録画情報をそれに含まれる優先度で、優先度が低い順にソートする（ステップＳ１６）。ソートは、第１レベル優先度でまずソートし、第１レベル優先度が同じ録画情報を第２レベル優先度でソートする。ソート後の録画情報の番組識別情報を表示する録画ファイル一覧画面を表示装置に表示させる（ステップＳ１７）。録画ファイル一覧画面は、第１レベル優先度が同じ録画情報の番組識別情報を同じ色で表示してグループ化する。また、録画ファイル一覧画面は、第１レベル優先度が異なる録画情報の番組識別情報を異なる色で表示する。
【００５９】
そして、表示された録画ファイル一覧画面で、番組識別情報のいずれかが指定されたか否かが判断される（ステップＳ１８）。番組識別情報が指定されるまで番組識別情報が録画ファイル一覧画面で表示され（ステップＳ１８でＮＯ）、番組識別情報が指定されると（ステップＳ１８でＹＥＳ）、ステップＳ０７に進む。ステップＳ０７では、ステップＳ１８で指定された番組識別情報を含む録画情報で特定される放送信号１２１Ａを削除可能か否かが判断される。
【００６０】
ステップＳ０８Ａでは、ステップＳ１８で指定された番組識別情報を含む録画情報のアドレスで特定される放送信号１２１Ａを記録装置１２１から消去する。
【００６１】
＜録画処理＞
図９は、本実施の形態におけるテレビジョン受像機で実行される録画処理の流れの一例を示すフローチャートである。図９を参照して、録画処理では、まず、不揮発性メモリ１３３に記憶されている録画予約情報１３３Ａを読み出す（ステップＳ３１）。そして、現在時刻が録画予約情報１３３Ａに含まれる日時（録画時刻）となったか否かを判断する（ステップＳ３２）。現在時刻が録画時刻となるまで待機状態となっており（ステップＳ３２でＮＯ）、現在時刻が録画時刻になればステップＳ３３に進む。ステップＳ３３では、録画時刻となった録画予約情報１３３Ａに含まれる番組識別情報の放送信号を、記録装置１２１に記録する録画を開始する。
【００６２】
ステップＳ３４では、記録装置１２１の残容量を検出する。ステップＳ３３で放送信号の録画が開始されているので、記録装置１２１の残容量は徐々に少なくなっていく。このため、ステップＳ３４では、それが実行される時点の残容量を検出する。ステップＳ３５では、検出した残容量が所定値Ｔを下回ったか否かが判断される。真であればステップＳ３６に進み、偽であればステップＳ４１に進む。
【００６３】
ステップＳ３６では、不揮発性メモリ１３３に記憶されている録画情報のうち、録画予約情報の優先度よりも低い優先度の付されたものであって、優先度が最も低い録画情報１３３Ｂを抽出する。そして、抽出した録画情報１３３Ｂが削除可能か否かを判断する（ステップＳ３７）。ステップＳ３６で抽出された録画情報の第１レベル優先度が「高」の場合には削除できないからである。抽出した録画情報１３３Ｂを削除可能であればステップＳ３８に進むが、削除不可能であればステップＳ４３に進む。ステップＳ４３では、エラー処理が実行される。エラー処理は、たとえば、記録装置１２１の残容量不足により、ステップＳ３３で録画が開始された放送信号の録画が途中で終了することを示すエラーメッセージを表示装置に表示する、または、スピーカから出力する。
【００６４】
ステップＳ３８では、ステップＳ３６で抽出された録画情報のアドレスで特定される放送信号１２１Ａを記録装置１２１から消去する。その後、記録装置１２１の残容量を検出する（ステップＳ３９）。ステップＳ３８で放送信号１２１Ａが消去されたので、記録装置１２１の残容量が増加しているからである。ステップＳ４０では、ステップＳ３９で検出した残容量が所定値Ｔを下回ったか否かが判断される。真であればステップＳ３６に戻り、偽であればステップＳ４１に進む。ステップＳ４１に進む場合には、ステップＳ３３で録画が開始された録画予約情報で特定される放送信号を録画するための領域が記録装置１２１に確保されることになる。
【００６５】
そして、録画が終了したか否かが判断され（ステップＳ４１）、終了していなければステップＳ３４に戻り、録画が終了したならばステップＳ４２に進む、ステップＳ４２では、録画した放送信号に対応する録画情報を生成し、不揮発性メモリ１３３に記憶する。これにより、不揮発性メモリ１３３に録画情報１３３Ｂが記憶される。
【００６６】
以上説明したように、本実施の形態におけるテレビジョン受像機１００は、録画予約情報が入力されると、録画予約情報に含まれる優先度よりも低い優先度が付加されて録画されている放送信号を消去するので、録画予約情報に含まれる優先度よりも低い優先度が付加された放送信号が録画されていない場合には、消去しない。このため、ユーザの知らないうちに、ユーザが録画しておきたい放送信号が消去されるのを防止することができる。
【００６７】
また、録画ファイル一覧画面は、録画予約情報に含まれる優先度よりも低い優先度が付加されて録画されている放送信号を識別するための番組識別情報を、優先度の低い順に並べて表示するので、ユーザが消去する放送信号を容易に決定することができる。また、残容量を増やすために録画されている放送信号を消去するために新たな画面を表示させるなどの操作を入力する必要がない。さらに、ユーザが消去する放送信号を決定することができるので、優先度が低くてもユーザが必要とする放送信号が消去されることがない。このため、録画予約の操作を容易にすることができる。
【００６８】
さらに、既に録画予約情報が記憶されている場合には、新たに入力された録画予約情報と、既に記憶されている録画予約情報のすべてで定まる録画時間分の映像信号を、記録装置１２１に記録するのに必要な記録容量を算出するので、既に記憶されている録画予約情報に従って録画される予定の放送信号が、残容量が不足して録画されなくなるのを回避することができる。
【００６９】
さらに、録画予約情報に従って放送信号が録画されている最中に、残容量が所定の容量を下回った場合、録画している放送信号に対応する録画予約情報に含まれる優先度よりも低い優先度が付加されて録画されている放送信号を消去するので、録画予約された放送信号をより確実に録画することが可能となる。
【００７０】
さらに、録画された放送信号に付加された優先度が変更可能なので、録画しておく価値の変化に対応することができる。
【００７１】
なお、上述した実施の形態においては、テレビジョン受像機１００について説明したが、図７または図８に示した予約設定処理および図９に示した録画処理をコンピュータに実行させる方法、またはコンピュータに実行させるプログラムとして発明を捉えることができるのは言うまでもない。
【００７２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００７３】
＜付記＞
（１）  前記録画情報記憶手段は、前記消去手段により消去された後に比較手段により残容量が多い比較結果が得られることを条件に、前記入力された録画予約情報を記憶する、請求項１または３に記載の録画装置。
（２）前記優先度は、第１レベル優先度と第２レベル優先度とを含み、
前記第１レベル優先度は、前記第２レベル優先度よりも優先度が高く、
前記第２レベル優先度は、録画時刻が新しいほど高い優先度を含む、請求項１または３に記載の録画装置。
（３）  前記記録手段に録画された映像信号の再生指示を受付ける再生指示受付手段をさらに含み、
前記優先度変更手段は、前記再生指示に従って再生された映像信号に付加されている優先度を低くする、請求項６に記載の録画装置。
（４）  録画された放送信号に関連する録画情報を表示する録画情報表示手段をさらに備え、
前記録画情報表示手段は、同じ前記優先度が付加された放送信号に関連する録画情報を、他の優先度が付加された放送信号に関連する録画情報と分けて表示する分離表示手段を含む、請求項１または３に記載の録画装置。
（５）  （４）において、前記分離表示手段は、優先度ごとに異なる色で前記録画情報を表示する色分表示手段を含む。
（６）  （４）において、前記分離表示手段は、同じ優先度が付加された放送信号に関連する録画情報を並べて表示するグループ分表示手段を含む。
【図面の簡単な説明】
【００７４】
【図１】本発明の実施の形態の一つにおけるテレビジョン受像機の構成の概略を示す図である。
【図２】録画予約設定画面の一例を示す図である。
【図３】優先度の一例を示す図である。
【図４】システムコントローラの機能の概略を示す機能ブロック図である。
【図５】録画予約情報のデータフォーマットの一例を示す図である。
【図６】録画情報のデータフォーマットの一例を示す図である。
【図７】本実施の形態におけるテレビジョン受像機で実行される録画予約設定処理の流れの一例を示すフローチャートである。
【図８】変形された予約設定処理の流れの一例を示すフローチャートである。
【図９】本実施の形態におけるテレビジョン受像機で実行される録画処理の流れの一例を示すフローチャートである。
【符号の説明】
【００７５】
１１  予約設定部、１３  比較部、１４  記録容量算出部、１５  放送信号消去部、１６  録画情報表示部、１７  録画予約情報記憶部、１９  番組指示入力部、２１  録画制御部、２３  優先度変更部、１００  テレビジョン受像機、１０１  システムコントローラ、１０２  アンテナ、１０３  チューナ、１０７  ＡＶデコーダ、１０９  映像処理回路、１１０  加算器、１１１  音声処理回路、１１３  映像出力回路、１１５  音声出力回路、１１７  ＡＶエンコーダ、１１８  マルチプレクサ、１１９  切換部、１２１  記録装置、１２１Ａ  放送信号、１２３  ＯＳＤ表示回路、１２７  電源回路、１２９  リモコン受光器、１３１  リモコン送信機、１３３  不揮発性メモリ、１３３Ａ  録画予約情報、１３３Ｂ  録画情報、１３５  操作部。
【図１】
2007037000.tif 000003
【図２】
2007037000.tif 000004
【図３】
2007037000.tif 000005
【図４】
2007037000.tif 000006
【図５】
2007037000.tif 000007
【図６】
2007037000.tif 000008
【図７】
2007037000.tif 000009
【図８】
2007037000.tif 000010
【図９】
2007037000.tif 000011